(57)【要約】      （修正有）【課題】外装部材の開口部を開閉する蓋部材を小型化して退避スペースを小さくすることで、電子機器の小型化を実現する。【解決手段】蓋部材１１，１２の閉じ状態で蓋部材１２の指掛け部１２ａを上方に移動させると、蓋部材１２は蓋ホルダ１３に沿って閉じ位置から開き位置へとスライド移動する。摺動リブ１２ｃの上端部１２ｈが蓋部材１１の摺動穴１１ｂの上端部１１ｃに当接して蓋部材を上方に押すことにより、蓋部材が蓋部材１２と一体となって閉じ位置から開き位置へと移動する。一方、蓋部材１１，１２の開き状態で蓋部材１２の指掛け部１２ａを下方に移動させると、蓋部材１２は、蓋ホルダ１３に沿って開き位置から閉じ位置へとスライド移動する。蓋部材１２の摺動リブ１２ｃの下端部１２ｉが蓋部材１１の摺動穴１１ｂの下端部１１ｄに当接し蓋部材１１を下方に押すことにより、蓋部材１１が蓋部材１２と一体となって開き位置から閉じ位置へと移動する。【選択図】図４
2014204188.tif 000002
【特許請求の範囲】
【請求項１】
開口部が形成された外装部材と、
前記開口部の一側を開閉するとともに、第１の当接部及び第２の当接部を有する一側蓋部材と、前記一側蓋部材を前記開閉する方向にスライド移動可能に支持する蓋ホルダと、
前記一側蓋部材に対して同方向にスライド移動可能に支持され、前記一側蓋部材が前記開口部の一側を閉じる方向にスライド移動する際に、前記第１の当接部が当接して前記開口部の他側を閉じる方向に押される第１の被当接部を有するとともに、前記一側蓋部材が前記開口部の一側を開く方向にスライド移動する際に、前記第２の当接部が当接して前記開口部の他側を開く方向に押される第２の被当接部を有する他側蓋部材と、
前記一側蓋部材が前記開口部の一側を閉じる位置にあるときに、前記一側蓋部材を閉じ方向に付勢し、前記一側蓋部材が前記開口部の一側を開く位置にあるときに、前記一側蓋部材を開き方向に付勢する付勢部材と、を備え、
前記他側蓋部材は、前記第１の当接部が第１の被当接部に当接して前記開口部の他側を閉じる方向に押されることにより、前記開口部の他側を閉じる位置に移動し、前記第２の当接部が前記第２の被当接部に当接して前記開口部の他側を開く方向に押されることにより、前記開口部の他側を開く位置に移動することを特徴とする電子機器。
【請求項２】
前記一側蓋部材、及び前記他側蓋部材は、光透過性を有する材料で形成されることを特徴とする請求項１に記載の電子機器。
【請求項３】
前記付勢部材は、コイル部と、前記コイル部から所定の角度で互いに異なる方向に延びる一対の直線部と、前記一対の直線部の先端にそれぞれ設けられる一対のフック部とを有するトーションばねで構成され、
前記一対のフック部は、前記蓋ホルダ、及び前記一側蓋部材にそれぞれ回転可能に掛止されることを特徴とする請求項１又は２に記載の電子機器。
【請求項４】
前記開口部は、矩形状とされ、
前記一側蓋部材、及び前記他側蓋部材が閉じ位置にあるとき、前記一対の直線部は、前記外装部材の裏面側でそれぞれ前記開口部の端辺部、及び側辺部に沿って配置されることを特徴とする請求項３に記載の電子機器。
【請求項５】
前記一側蓋部材の裏面側に向けて付勢された状態で設けられる検出ノブを有し、前記検出ノブが付勢力に抗して押圧されることにより、前記一側蓋部材が閉じ状態であることを検出する検出手段と、
前記一側蓋部材の裏面側に設けられ、前記一側蓋部材が開き位置から閉じ位置へとスライド移動することにより、前記検出ノブを付勢力に抗して押圧する検出用ボスと、を備えることを特徴とする請求項１乃至４のいずれか一項に記載の電子機器。
【発明の詳細な説明】
【技術分野】
【０００１】
本発明は、例えばデジタルカメラやデジタルビデオカメラ等の電子機器に関する。
【背景技術】
【０００２】
デジタルカメラやデジタルビデオカメラ等の電子機器では、メモリカードを着脱可能に保持するカードスロット等を開閉可能に覆う蓋部材を備えるものがある（特許文献１）。
【０００３】
蓋部材は、機器本体の外装部材に形成された開口部を開閉する方向にスライド可能とされる。そして、蓋部材を一方向にスライドさせると開口部が閉じられてカードスロットが覆われ、蓋部材を他方向にスライドさせると開口部が開かれてカードスロットが露出した状態となる。
【０００４】
また、蓋部材は、トグルばねによってスライド方向に付勢されており、蓋部材を閉じるときには、閉じ方向へ付勢され、蓋部材を開くときには、開き方向へ付勢される。
【先行技術文献】
【特許文献】
【０００５】
【特許文献１】特開２０１１−１３５４６１号公報
【発明の概要】
【発明が解決しようとする課題】
【０００６】
しかし、上記特許文献１では、蓋部材を開位置にスライド操作してカードスロットを露出させた状態において、機器本体における蓋部材の退避スペースが蓋部材の面積分必要となり、電子機器の大型化を招く問題がある。
【０００７】
そこで、本発明は、外装部材の開口部を開閉する蓋部材を小型化して機器本体における蓋部材の退避スペースを小さくすることで、電子機器の小型化を実現する仕組みを提供することを目的とする。
【課題を解決するための手段】
【０００８】
上記目的を達成するために、本発明の電子機器は、開口部が形成された外装部材と、前記開口部の一側を開閉するとともに、第１の当接部及び第２の当接部を有する一側蓋部材と、前記一側蓋部材を前記開閉する方向にスライド移動可能に支持する蓋ホルダと、前記一側蓋部材に対して同方向にスライド移動可能に支持され、前記一側蓋部材が前記開口部の一側を閉じる方向にスライド移動する際に、前記第１の当接部が当接して前記開口部の他側を閉じる方向に押される第１の被当接部を有するとともに、前記一側蓋部材が前記開口部の一側を開く方向にスライド移動する際に、前記第２の当接部が当接して前記開口部の他側を開く方向に押される第２の被当接部を有する他側蓋部材と、前記一側蓋部材が前記開口部の一側を閉じる位置にあるときに、前記一側蓋部材を閉じ方向に付勢し、前記一側蓋部材が前記開口部の一側を開く位置にあるときに、前記一側蓋部材を開き方向に付勢する付勢部材と、を備え、前記他側蓋部材は、前記第１の当接部が第１の被当接部に当接して前記開口部の他側を閉じる方向に押されることにより、前記開口部の他側を閉じる位置に移動し、前記第２の当接部が前記第２の被当接部に当接して前記開口部の他側を開く方向に押されることにより、前記開口部の他側を開く位置に移動することを特徴とする。
【発明の効果】
【０００９】
本発明によれば、外装部材の開口部を開閉する蓋部材を小型化して機器本体における蓋部材の退避スペースを小さくすることができるので、電子機器の小型化を実現することができる。
【図面の簡単な説明】
【００１０】
【図１】（ａ）は、本発明の電子機器の実施形態の一例であるデジタルビデオカメラを示す斜視図である。（ｂ）は、（ａ）に示すデジタルビデオカメラの表示ユニットを閉じた状態を示す斜視図である。
【図２】外装カバー、上側蓋部材、下側蓋部材、蓋ホルダ、センサ部材、及びカードスロットの配置を示す斜視図である。
【図３】図２の反対側から見た斜視図である。
【図４】上側蓋部材、下側蓋部材、蓋ホルダ、センサ部材、及びカードスロットの組立体において、上側蓋部材及び下側蓋部材がいずれも閉じ位置にある状態を示す斜視図である。
【図５】上側蓋部材、下側蓋部材、蓋ホルダ、センサ部材、及びカードスロットの組立体において、上側蓋部材及び下側蓋部材がいずれも開き位置にある状態を示す斜視図である。
【図６】上側蓋部材及び下側蓋部材の開き状態における外装カバー、上側蓋部材、下側蓋部材、蓋ホルダ、及びセンサ部材の配置を外装カバーの裏面側から見た図である。
【図７】上側蓋部材及び下側蓋部材の閉じ状態における外装カバー、上側蓋部材、下側蓋部材、蓋ホルダ、及びセンサ部材の配置を外装カバーの裏面側から見た図である。
【図８】外装カバーの開口部とトーションばねの位置関係を外装カバーの裏面側から見た図である。
【図９】図７のＡ−Ａ線断面図である。
【発明を実施するための形態】
【００１１】
以下、本発明の実施形態の一例を図面を参照して説明する。
【００１２】
図１（ａ）は、本発明の電子機器の実施形態の一例であるデジタルビデオカメラを示す斜視図である。図１（ｂ）は、図１（ａ）に示すデジタルビデオカメラの表示ユニットを閉じた状態を示す斜視図である。
【００１３】
図１に示すように、本実施形態のデジタルビデオカメラは、カメラ本体１の正面側（被写体側）にレンズ部１ａが設けられ、カメラ本体１の背面側にビューファインダ１ｂが設けられる。また、カメラ本体１の撮影者側（ビューファインダ１ｂ側）から見て左側の側面の外装を形成する外装カバー１０には、表示ユニット２がヒンジ部３を介して開閉方向に回動可能に支持されている。
【００１４】
外装カバー１０には、矩形状の開口部１０ａが形成され、開口部１０ａの内部には、メモリカード５が着脱可能に装着されて保持されるカードスロット６（図２及び図３参照）が２つ設けられている。
【００１５】
また、開口部１０ａは、図１（ａ）に示す状態では、上側部分が上側蓋部材１１により覆われるとともに、下側部分が下側蓋部材１２によって覆われている。即ち、下側蓋部材１２及び上側蓋部材１１がともに閉じ状態とされている。ここで、外装カバー１０は、本発明の外装部材の一例に相当する。また、下側蓋部材１２は、本発明の一側蓋部材の一例に相当し、上側蓋部材１１は、本発明の他側蓋部材の一例に相当する。
【００１６】
上側蓋部材１１及び下側蓋部材１２は、光透過性を有する材料、例えば、本実施形態では、ポリカーボネート（ＰＣ）の樹脂成形品とされ、図１の上下方向が開閉方向とされて、開閉方向にスライド移動が可能とされている。また、下側蓋部材１２の右下部には、スライド操作の際に撮影者が指等を掛けるための指掛け部１２ａが形成されている。
【００１７】
図２は、外装カバー１０、上側蓋部材１１、下側蓋部材１２、蓋ホルダ１３、プレート２０、及びカードスロット６の配置を示す斜視図である。図３は、図２の反対側から見た斜視図である。図４は、上側蓋部材１１、下側蓋部材１２、蓋ホルダ１３、プレート２０、及びカードスロット６の組立体において、上側蓋部材１１及び下側蓋部材１２がいずれも閉じ位置にある状態を示す斜視図である。図５は、上側蓋部材１１、下側蓋部材１２、蓋ホルダ１３、プレート２０、及びカードスロット６の組立体において、上側蓋部材１１及び下側蓋部材１２がいずれも開き位置にある状態を示す斜視図である。
【００１８】
図２に示すように、外装カバー１０の裏面側の開口部１０ａの上端辺部には、２つの係合爪１０ｄが設けられている。また、蓋ホルダ１３の上端部には、２つの係合爪１０ｄに係合する係合穴１３ｆが形成されている。外装カバー１０の係合爪１０ｄが蓋ホルダ１３の係合穴１３ｆに係合することで、外装カバー１０と蓋ホルダ１３とが一体化され、外装カバー１０と蓋ホルダ１３との間に上側蓋部材１１及び下側蓋部材１２が収容される。
【００１９】
下側蓋部材１２の裏面側の幅方向の両側には、それぞれ上下方向に互いに離間して配置された摺動ボス１２ｄが２箇所ずつ、合計４箇所形成されている。下側蓋部材１２の裏面側の幅方向の両側に２箇所ずつ形成された摺動ボス１２ｄは、蓋ホルダ１３の幅方向の両側面１３ｂを挟み込んだ状態で上下方向に摺動可能とされ、これにより、下側蓋部材１２は、蓋ホルダ１３に対して上下方向にスライド移動可能とされる。また、下側蓋部材１２の表面側の幅方向の両側には、それぞれ上下方向に延びる摺動リブ１２ｃが形成されている。
【００２０】
一方、上側蓋部材１１は、下側蓋部材１２の表面側で上下方向、即ち、下側蓋部材１２と同方向にスライド移動可能とされている。上側蓋部材１１は、外装カバー１０の開口部１０ａの上側部分を開閉可能に覆う蓋部１１ｅと、蓋部１１ｅの幅方向両側に設けられて、蓋部１１ｅの下端より下方に延びる腕部１１ａとを有する。
【００２１】
腕部１１ａには、上下方向に沿って摺動穴１１ｂが形成されている。摺動穴１１ｂは、蓋部１１ｅの上端部近傍から腕部１１ａの先端近傍まで延びて形成され、摺動穴１１ｂには、下側蓋部材１２の摺動リブ１２ｃが上下方向に摺動可能に嵌め込まれる。
【００２２】
上側蓋部材１１及び下側蓋部材１２の閉じ状態（図４）で、下側蓋部材１２の指掛け部１２ａを上方に移動させると、下側蓋部材１２は、蓋ホルダ１３の両側面１３ｂに沿って閉じ位置から開き位置へとスライド移動する。
【００２３】
そして、図４及び図５を参照して、摺動リブ１２ｃの上端部１２ｈが上側蓋部材１１の摺動穴１１ｂの上端部１１ｃに当接して上側蓋部材１１を上方に押すことにより、上側蓋部材１１が下側蓋部材１２と一体となって閉じ位置から開き位置へと移動する。これにより、開口部１０ａが開かれてカードスロット６が露出してメモリカード５の着脱が可能になる。ここで、摺動リブ１２ｃの上端部１２ｈは、本発明の第２の当接部の一例に相当し、摺動穴１１ｂの上端部１１ｃは、本発明の第２の被当接部の一例に相当する。
【００２４】
このように、下側蓋部材１２の指掛け部１２ａを上方に移動させることで、上側蓋部材１１及び下側蓋部材１２が図４に示す閉じ位置から図５に示す開き位置へと移動が可能となっている。
【００２５】
一方、上側蓋部材１１及び下側蓋部材１２の開き状態（図５）で、下側蓋部材１２の指掛け部１２ａを下方に移動させると、下側蓋部材１２は、蓋ホルダ１３の両側面１３ｂに沿って開き位置から閉じ位置へとスライド移動する。
【００２６】
そして、下側蓋部材１２の摺動リブ１２ｃの下端部１２ｉが上側蓋部材１１の摺動穴１１ｂの下端部１１ｄに当接し上側蓋部材１１を下方に押すことにより、上側蓋部材１１が下側蓋部材１２と一体となって開き位置から閉じ位置へと移動する。これにより、開口部１０ａが閉じられてカードスロット６が上側蓋部材１１及び下側蓋部材１２により覆われる。ここで、摺動リブ１２ｃの下端部１２ｉは、本発明の第１の当接部の一例に相当し、摺動穴１１ｂの下端部１１ｄは、本発明の第１の被当接部の一例に相当する。
【００２７】
このように、下側蓋部材１２の指掛け部１２ａを下方に移動させることで、上側蓋部材１１及び下側蓋部材１２が図５に示す開き位置から図４に示す閉じ位置へと移動が可能となっている。
【００２８】
なお、上側蓋部材１１及び下側蓋部材１２は、後述するトーションばね１８により、図５に示す開き位置では、開き状態を維持する方向に付勢され、図４に示す閉じ位置では、閉じ状態を維持する方向に付勢される。
【００２９】
また、図３及び図４に示すように、下側蓋部材１２の表面側には、カードスロット６の位置に対応して2つの凹部１２ｊが形成されている。凹部１２ｊは、外装カバー１０の開口部１０ａの内部を視認することができるように鏡面仕上げが施されており、下側蓋部材１２の他の部位よりも高い光透過率を有している。
【００３０】
そのため、上側蓋部材１１及び下側蓋部材１２の閉位置にあって外装カバー１０の開口部１０ａが閉じられた状態でも、凹部１２ｊを通してカードスロット６にメモリカード５が装着されているか否かを容易に目視することができる。
【００３１】
図６は、上側蓋部材１１及び下側蓋部材１２の開き状態における外装カバー１０、上側蓋部材１１、下側蓋部材１２、蓋ホルダ１３、及びプレート２０の配置を外装カバー１０の裏面側から見た図である。図７は、上側蓋部材１１及び下側蓋部材１２の閉じ状態における外装カバー１０、上側蓋部材１１、下側蓋部材１２、蓋ホルダ１３、及びプレート２０の配置を外装カバー１０の裏面側から見た図である。
【００３２】
図６に示すように、トーションばね１８は、コイル部１８ｅと、コイル部１８ｅから所定の角度で互いに異なる方向に延びる一対の直線部１８ａ，１８ｂと、一対の直線部１８ａ，１８ｂの先端にそれぞれ設けられる一対のフック部１８ｃ，１８ｄとを有する。ここで、トーションばね１８は、本発明の付勢部材の一例に相当する。
【００３３】
蓋ホルダ１３の裏面側の略中央部には、トーションばね１８のフック部１８ｃが回転可能に掛止される掛止部１３ｄが設けられる。また、蓋ホルダ１３の掛止部１３ｄの周辺には、トーションばね１８が摺動するための摺動部１３ｅが形成されている。下側蓋部材１２の裏面側の上端部左側には、トーションばね１８のフック部１８ｄが回転可能に掛止される掛止部１２ｆが設けられる。
【００３４】
そして、トーションばね１８は、上側蓋部材１１及び下側蓋部材１２が図５に示す開き位置にあるときに、開き状態を維持する方向（図５の上方向）に下側蓋部材１２を付勢する。
【００３５】
即ち、図５及び図６に示すように、トーションばね１８は、下側蓋部材１２の摺動リブ１２ｃの上端部１２ｈが上側蓋部材１１の摺動穴１１ｂの上端部１１ｃを上方向に押し付けるように下側蓋部材１２を付勢する。
【００３６】
このとき、外装カバー１０の上端当接部１０ｂ（図２参照）に上側蓋部材１１が当接してトーションばね１８の付勢力が受け止められ、上側蓋部材１１は、開き状態を維持する方向に付勢される。
【００３７】
また、トーションばね１８は、上側蓋部材１１、及び下側蓋部材１２が図４に示す閉じ位置にあるときに、閉じ状態を維持する方向（図４の下方向）に下側蓋部材１２を付勢する。
【００３８】
即ち、トーションばね１８は、図４及び図７に示すように、下側蓋部材１２の摺動リブ１２ｃの下端部１２ｉが上側蓋部材１１の摺動穴１１ｂの下端部１１ｄを下方向に押し付けるように下側蓋部材１２を付勢する。
【００３９】
このとき、外装カバー１０の下端当接部１０ｃ（図２参照）に上側蓋部材１１の腕部１１ａの先端が当接してトーションばね１８の付勢力が受け止められ、上側蓋部材１１は、閉じ状態を維持する方向に付勢される。
【００４０】
図８は、外装カバー１０の開口部１０ａとトーションばね１８の位置関係を外装カバー１０の裏面側から見た図である。なお、図８では、上側蓋部材１１及び下側蓋部材１２が閉じ位置にあるときのトーションばね１８を実線で示し、開き位置にあるときのトーションばね１８を二点鎖線で示している。
【００４１】
前述したように、上側蓋部材１１及び下側蓋部材１２は、光透過性を有する材料で形成されるため、閉じ位置にある上側蓋部材１１及び下側蓋部材１２を通してカメラ本体１内のトーションばね１８が見えないようにするのが望ましい。
【００４２】
そこで、本実施形態では、図８を参照して、上側蓋部材１１及び下側蓋部材１２が閉じ位置にあるときに、開口部１０ａの上端辺部１０ｆの近傍位置で上端辺部１０ｆに沿うようにトーションばね１８の一方の直線部１８ａを配置している。また、開口部１０ａの左側辺部１０ｅの近傍位置で左側辺部１０ｅに沿うようにトーションばね１８の他方の直線部１８ｂを配置している。
【００４３】
これにより、上側蓋部材１１及び下側蓋部材１２が閉じ位置にあるときに、上側蓋部材１１及び下側蓋部材１２を通してカメラ本体１の内部のトーションばね１８が見えないようにすることができる。また、トーションばね１８の移動スペースの縦寸法を上側蓋部材１１及び下側蓋部材１２の退避スペースの小型化された縦寸法に収めることができる。そして、トーションばね１８の移動スペースの横寸法を上側蓋部材１１及び下側蓋部材１２の退避スペースの投影上に納めることができる。これにより、蓋構造自体の小型化を図ることができる。
【００４４】
図９は、図７のＡ−Ａ線断面図である。本実施形態では、上側蓋部材１１及び下側蓋部材１２の２枚の蓋部材を用いるため、１枚の蓋部材で外装カバー１０の開口部１０ａを閉じる場合に比べて、蓋部材の板厚方向のがたつきが生じ易い。
【００４５】
そこで、本実施形態では、次のようにして上側蓋部材１１及び下側蓋部材１２の板厚方向のがたつきを防止している。図９において、検出スイッチ１９は、上側蓋部材１１及び下側蓋部材１２が閉じ状態であることを検出するためのスイッチであり、基板１９ａ（図７参照）に実装され、ビス等によりプレート２０（検出スイッチの固定板金）に固定されている。検出スイッチ１９には、検出ノブ１９ｂが下側蓋部材１２側に付勢された状態で設けられている。
【００４６】
下側蓋部材１２の裏面側には、検出用ボス１２ｇが設けられている。検出用ボス１２ｇは、下側蓋部材１２が開き位置から閉じ位置へとスライド移動することにより、検出ノブ１９ｂを付勢力に抗して押圧する。これにより、上側蓋部材１１及び下側蓋部材１２が閉じ状態であることが検出される。
【００４７】
このとき、下側蓋部材１２は、検出ノブ１９ｂの付勢力により外装カバー１０側に上側蓋部材１１とともに押し付けられる。これにより、上側蓋部材１１及び下側蓋部材１２の板厚方向のがたつきを防止することができる。
【００４８】
以上説明したように、本実施形態では、上側及び下側の２つの蓋部材１１，１２を用い、蓋部材１１，１２の閉じ状態、即ち、カードスロット６を露出させた状態において２つの蓋部材１１，１２を板厚方向に全面的に重ね合わせることができる。従って、２つの蓋部材１１，１２の退避スペースの縦寸法をいずれか一方の蓋部材（本実施形態では、上側蓋部材１１）の縦寸法まで縮小することができる。
【００４９】
これにより、外装カバー１０の開口部１０ａを開閉してカードスロット６を露出させ又は覆う蓋部材１１，１２を小型化してカメラ本体１における蓋部材１１，１２の退避スペースを小さくすることができ、デジタルビデオカメラの小型化を実現することができる。
【００５０】
なお、本発明の構成は、上記実施形態に例示したものに限定されるものではなく、材質、形状、寸法、形態、数、配置箇所等は、本発明の要旨を逸脱しない範囲において適宜変更可能である。
【符号の説明】
【００５１】
１  カメラ本体
６  カードスロット
１０  外装カバー
１０ａ  開口部
１１  上側蓋部材
１２  下側蓋部材
１２ｇ  検出用ボス
１３  蓋ホルダ
１８  トーションばね
１８ａ，１８ｂ  直線部
１９  検出スイッチ
１９ｂ  検出ノブ
【図１】
2014204188.tif 000003
【図２】
2014204188.tif 000004
【図３】
2014204188.tif 000005
【図４】
2014204188.tif 000006
【図５】
2014204188.tif 000007
【図６】
2014204188.tif 000008
【図７】
2014204188.tif 000009
【図８】
2014204188.tif 000010
【図９】
2014204188.tif 000011